(57)【要約】【課題】    複数接栓座10のケースからの突設部の軸心方向を斜め下向きとし、複数接栓座10に対して装着する同軸ケーブルの延出部が上記ケース４を載置する面に近くで当接し、複数接栓座10と載置面との間に「同軸ケーブルによる支柱」が設置された状態にする。【解決手段】  ケース４の下半部４ｆにおける側部材４ｃの一部を、垂直面に対して上部材４ａの側が外部に張り出す状態に傾斜させ、そこの傾斜面から複数の接栓座10を軸心方向が斜め下向きとなり、複数接栓座10に対して夫々装着する同軸ケーブルの延出部が上記ケース４を載置する面に近くで当接し、複数接栓座10と載置面との間の同軸ケーブルが短くなるようにしてある【選択図】    図１
2008028558.tif 000002
【特許請求の範囲】
【請求項１】
ケース内には、電源回路と、高周波装置における高周波回路収納用シールドケースとを収めると共に、高周波回路収納用シールドケースからは上記ケースの側部材を貫通させて複数の接栓座を外部に向けて突設させ、上記複数の接栓座に夫々接続される同軸ケーブルを介して高周波信号を上記シールドケース内の高周波回路に入出力させると共に、上記電源回路から上記高周波回路にブースター用電力を送るようにしているブースター電源装置において、
上記ケース内におけるシールドケースは、金属材料を用いて製造してあり、しかもシールドケースの装着部の構成は、ケースの下半部における側部材の一部を、垂直面に対して上部材の側が外部に張り出す状態に傾斜させ、そこの傾斜面をシールドケースの添付面とし、上記添付面にシールドケースを添付けた状態では、シールドケースにおける複数接栓座のケースからの突設部の軸心方向が斜め下向きとなり、複数接栓座に対して夫々装着する同軸ケーブルの延出部が上記ケースを載置する面に近くで当接し、複数接栓座と載置面との間の同軸ケーブルが短くなるようにしてあることを特徴とするブースター電源装置。
【請求項２】
ケース内には、電源回路と、高周波装置における高周波回路収納用シールドケースとを収めると共に、高周波回路収納用シールドケースからは上記ケースの側部材を貫通させて複数の接栓座を外部に向けて突設させ、上記複数の接栓座に夫々接続される同軸ケーブルを介して高周波信号を上記シールドケース内の高周波回路に入出力させると共に、上記電源回路から上記高周波回路にブースター用電力を送るようにしているブースター電源装置において、
上記ケース内におけるシールドケースは、金属材料を用いて製造してあり、しかもシールドケースの装着部の構成は、
ケースの下半部における側部材の一部を、垂直面に対して上部材の側が外部に張り出す状態に傾斜させ、そこの傾斜面をシールドケースの添付面とし、
上記添付面は、垂直面に対する傾斜角の異なる第１添付面と第２添付面を備え、
第１添付面は下側に、第２添付面は上側に、両添付面は相互に連続させて配設してあり、第２添付面は、第１添付面の傾斜角θ１よりも、さらに垂直面に対して上部材の側が外部に張り出す状態となるように大きな傾斜角θ２に傾斜させ、
さらに、シールドケースにおける対向板は、ケースの第１添付面と第２添付面に対応する形状に構成し、
上記第１添付面と第２添付面にシールドケースの対向板を添付けた状態では、シールドケースにおける複数接栓座のケースからの突設部の軸心方向が夫々斜め下向きで、かつ、下側に位置する接栓座の軸心方向に対して、上側に位置する接栓座の軸心方向がより下向きとなるように構成して、複数接栓座に対して夫々装着する同軸ケーブルの延出部が上記ケースの近い位置において上記ケースを載置する面に当接し、複数接栓座と載置面との間の同軸ケーブルが短い状態で定置されるようにしてあることを特徴とするブースター電源装置。
【請求項３】
ケース内には、電源回路と、高周波装置における高周波回路収納用シールドケースとを収めると共に、高周波回路収納用シールドケースからは上記ケースの側部材を貫通させて複数の接栓座を外部に向けて突設させ、上記複数の接栓座に夫々接続される同軸ケーブルを介して高周波信号を上記シールドケース内の高周波回路に入出力させると共に、上記電源回路から上記高周波回路にブースター用電力を送るようにしているブースター電源装置において、
上記ケース内におけるシールドケースは、金属材料を用いて製造してあり、しかもシールドケースの装着部の構成は、ケースの下半部における側部材の一部を、垂直面に対して上部材の側が外部に張り出す状態に傾斜させ、そこの傾斜面をシールドケースの添付面とし、上記添付面にシールドケースを添付けた状態では、シールドケースにおける複数接栓座のケースからの突設部の軸心方向が斜め下向きとなり、複数接栓座に対して夫々装着する同軸ケーブルの延出部が上記ケースを載置する面に当接し、複数接栓座と載置面との間に同軸ケーブルが定置されるようにしてあり、
さらに、上記ケースに対して着脱可能に装着する台座を備え、
上記台座は、ケースの底部材に対向させる上面を有する基板と、上記ケースの接栓座取付面に隣接する両側部材の表面に対向させて両側からケースを挟持する二つの挟持部材とを有し、
上記挟持部材の基板における長手方向の配置位置は基板の一方に偏在させていることを特徴とするブースター電源装置。
【請求項４】
ケース内には、電源回路と、高周波装置における高周波回路収納用シールドケースとを収めると共に、高周波回路収納用シールドケースからは上記ケースの側部材を貫通させて複数の接栓座を外部に向けて突設させ、上記複数の接栓座に夫々接続される同軸ケーブルを介して高周波信号を上記シールドケース内の高周波回路に入出力させると共に、上記電源回路から上記高周波回路にブースター用電力を送るようにしているブースター電源装置において、
上記ケース内におけるシールドケースは、金属材料を用いて製造してあり、しかもシールドケースの装着部の構成は、ケースの下半部における側部材を添付面とし、上記添付面にシールドケースを添付けた状態では、シールドケースにおける複数接栓座はケースから外部に向けて突出するようにしてあり、
さらに、上記ケースに対して着脱可能に装着する台座を備えさせ、
上記台座は、ケースの底部材に対向させる上面を有する基板と、上記ケースの接栓座取付面に隣接する両側部材の表面に対向させて両側からケースを挟持する二つの挟持部材とを有し、
上記台座における上記二つの挟持部材の間に対するケースの下部分の装着状態は、上記ケースの接栓座取付面の上部側が垂直面に対して外部に張り出す傾斜状態で装着し、
複数接栓座に対して夫々装着する同軸ケーブルの延出部が上記ケースを載置する面に近くで当接し、複数接栓座と載置面との間の同軸ケーブルが短くなるようにしてあることを特徴とするブースター電源装置。
【発明の詳細な説明】
【技術分野】
【０００１】
本発明は、電源回路１６と、高周波回路を備えるブースター電源装置に関し、詳しくは上記高周波回路を収納するシールドケース９における接栓座の取付部の構造に関する。
【背景技術】
【０００２】
従来のブースター電源装置は、ケース内には、電源回路と、高周波装置における高周波回路収納用シールドケースとを収めると共に、高周波回路収納用シールドケースからはケースの側部材を貫通させて複数の接栓座を外部に向けて突設させている。
さらに上記複数の接栓座には夫々同軸ケーブルを接続し、それらの同軸ケーブルを介して高周波信号を上記シールドケース内の高周波回路に入出力させると共に、上記電源回路から上記高周波回路にブースター用電力を送るようにしている。
この従来のブースター電源装置では、該装置の載置面（例えばテレビラックの上面）にケースを縦置きにして使用する場合、複数接栓座の突出方向の軸心が夫々ケース載置面と平行になる方向にしてあるので、これらの接栓座に夫々接続された同軸ケーブルの延出部には、自重によって下方向に向けての力が掛かる。この下向きの力がケースの底部材における「接栓座取付面側」を支点として、底部材における「反接栓座取付面側」を浮かせる力になり、ケースの「反接栓座取付面側」を浮かせ、不安定な状態にする問題点があった。
さらに、上記のようにケースの「反接栓座取付面側」を浮かせる、不安定な状態になった場合には、接栓座と同軸ケーブルの接続部に対してストレスが加わった状態になる。そのような不安定な状態で経年使用すると、そこに微細な繰り返し振動が加わり、両者の電気的接続部が疲労し、断線するなどの障害が生じる問題点もあった。
【０００３】
そこで、従来のブースター電源装置によく似た外形形状を備える卓上電子機器においては、ケースの「反接栓座取付面側」が浮き上るのを防止する為に、ケースの「接栓座取付面側」の下部前方に対してケースの傾倒を防止するようにした「保持具」を付設する構造が提供されている（例えば、特許文献１参照）。
【０００４】
【特許文献１】特開２００５−２１７２５７公報
【発明の開示】
【発明が解決しようとする課題】
【０００５】
しかし、上記ケースの「接栓座取付面側」の下部前方に対して「保持具」を付設してみても上記接栓座と同軸ケーブルの接続部に対するストレスを大幅に減少させることはできず、上記接続部での故障はやはり多発する問題点が残されていた。
【０００６】
本件出願の目的は、入力されたブースターからの高周波信号をテレビ等の受信機へ向けて出力でき、かつ、ブースターへ電力を供給することができるブースター電源装置を提供しようとするものである。
他の目的は、ケースの載置面に対して、ケースを縦置きにして使用する場合、ケースを安定した状態で定置することができるブースター電源装置を提供しようとするものである。
さらに、ケースにおける接栓座と同軸ケーブルとの電気的接続部の破損が生じることなく長期的かつ安全に使用できるブースター電源装置を提供しようとするものである。
他の目的は、ブースター電源装置に対し、台座を付設する場合において、それらを一緒に包装する場合、包装の嵩を小型でコンパクトにすることができるブースター電源装置を提供しようとするものである。
さらに、本発明は、上記のように包装の嵩を小型でコンパクトにできるものであっても、ブースター電源装置を台座に取り付けて使用する場合には、よりケースを安定して支えることができるブースター電源装置を提供しようとするものである。
他の目的及び利点は図面及びそれに関連した以下の説明により容易に明らかになるであろう。
【課題を解決するための手段】
【０００７】
本発明におけるブースター電源装置は、ケース４内には、電源回路１６と、高周波装置８における高周波回路収納用シールドケース９とを収めると共に、高周波回路収納用シールドケース９からは上記ケース４の側部材４ｃを貫通させて複数の接栓座１０を外部に向けて突設させ、上記複数の接栓座１０に夫々接続される同軸ケーブル１２を介して高周波信号を上記シールドケース内の高周波回路に入出力させると共に、上記電源回路１６から上記高周波回路にブースター用電力を送るようにしているブースター電源装置において、上記ケース４内におけるシールドケース９は、金属材料を用いて製造してあり、しかもシールドケース９の装着部の構成は、ケース４の下半部４ｆにおける側部材４ｃの一部を、垂直面に対して上部材４ａの側が外部に張り出す状態に傾斜させ、そこの傾斜面をシールドケース９の添付面とし、上記添付面にシールドケース９を添付けた状態では、シールドケース９における複数接栓座10のケースからの突設部の軸心方向が斜め下向きとなり、複数接栓座10に対して夫々装着する同軸ケーブルの延出部が上記ケース４を載置する面に近くで当接し、複数接栓座10と載置面との間の同軸ケーブルが短くなるようにしたものである。
【０００８】
また好ましくは、ケース４内には、電源回路１６と、高周波装置８における高周波回路収納用シールドケース９とを収めると共に、高周波回路収納用シールドケース９からは上記ケース４の側部材４ｃを貫通させて複数の接栓座１０を外部に向けて突設させ、上記複数の接栓座１０に夫々接続される同軸ケーブル１２を介して高周波信号を上記シールドケース内の高周波回路に入出力させると共に、上記電源回路１６から上記高周波回路にブースター用電力を送るようにしているブースター電源装置において、上記ケース４内におけるシールドケース９は、金属材料を用いて製造してあり、しかもシールドケース９の装着部２３の構成は、ケース４の下半部４ｆにおける側部材４ｃの一部を、垂直面に対して上部材４ａの側が外部に張り出す状態に傾斜させ、そこの傾斜面をシールドケース９の添付面23ａとし、上記添付面23ａは、垂直面に対する傾斜角の異なる第１添付面23ｄと第２添付面23ｅを備え、第１添付面23ｄは下側に、第２添付面23ｅは上側に、両添付面は相互に連続させて配設してあり、第２添付面23ｅは、第１添付面23ｄの傾斜角θ１よりも、さらに垂直面に対して上部材４ａの側が外部に張り出す状態となるように大きな傾斜角θ２に傾斜させ、さらに、シールドケース９における対向板は、ケース４の第１添付面23ｄと第２添付面23ｅに対応する形状に構成し、上記第１添付面23ｄと第２添付面23ｅにシールドケース９の対向板を添付けた状態では、シールドケース９における複数接栓座10のケース４からの突設部の軸心方向が夫々斜め下向きで、かつ、下側に位置する接栓座10の軸心方向に対して、上側に位置する接栓座10の軸心方向がより下向きとなるように構成して、複数接栓座10に対して夫々装着する同軸ケーブルの延出部が上記ケース４の近い位置において上記ケース４を載置する面に当接し、複数接栓座10と載置面との間の同軸ケーブルが短い状態で定置されるようにしたものであればよい。
【０００９】
また好ましくは、ケース４内には、電源回路１６と、高周波装置８における高周波回路収納用シールドケース９とを収めると共に、高周波回路収納用シールドケース９からは上記ケース４の側部材４ｃを貫通させて複数の接栓座１０を外部に向けて突設させ、上記複数の接栓座１０に夫々接続される同軸ケーブル１２を介して高周波信号を上記シールドケース内の高周波回路に入出力させると共に、上記電源回路１６から上記高周波回路にブースター用電力を送るようにしているブースター電源装置において、上記ケース４内におけるシールドケース９は、金属材料を用いて製造してあり、しかもシールドケース９の装着部の構成は、ケース４の下半部４ｆにおける側部材４ｃの一部を、垂直面に対して上部材４ａの側が外部に張り出す状態に傾斜させ、そこの傾斜面をシールドケース９の添付面とし、上記添付面にシールドケース９を添付けた状態では、シールドケース９における複数接栓座10のケースからの突設部の軸心方向が斜め下向きとなり、複数接栓座10に対して夫々装着する同軸ケーブルの延出部が上記ケース４を載置する面に当接し、複数接栓座10と載置面との間に同軸ケーブルが定置されるようにしてあり、さらに、上記ケース４に対して着脱可能に装着する台座３３を備え、上記台座３３は、ケース４の底部材４ｂに対向させる上面を有する基板３４と、上記ケースの接栓座取付面に隣接する両側部材４ｃの表面に対向させて両側からケース４を挟持する二つの挟持部材３５、３５とを有し、上記挟持部材３５の基板３４における長手方向の配置位置は基板３４の一方に偏在させるものであればよい。
【００１０】
また好ましくは、ケース４内には、電源回路１６と、高周波装置８における高周波回路収納用シールドケース９とを収めると共に、高周波回路収納用シールドケース９からは上記ケース４の側部材４ｃを貫通させて複数の接栓座１０を外部に向けて突設させ、上記複数の接栓座１０に夫々接続される同軸ケーブル１２を介して高周波信号を上記シールドケース内の高周波回路に入出力させると共に、上記電源回路１６から上記高周波回路にブースター用電力を送るようにしているブースター電源装置において、上記ケース４内におけるシールドケース９は、金属材料を用いて製造してあり、しかもシールドケース９の装着部の構成は、ケース４の下半部４ｆにおける側部材４ｃを添付面とし、上記添付面にシールドケース９を添付けた状態では、シールドケース９における複数接栓座10はケースから外部に向けて突出するようにしてあり、さらに、上記ケース４に対して着脱可能に装着する台座３３を備えさせ、上記台座３３は、ケース４の底部材４ｂに対向させる上面を有する基板３４と、上記ケースの接栓座取付面に隣接する両側部材４ｃの表面に対向させて両側からケース４を挟持する二つの挟持部材３５、３５とを有し、上記台座３３における上記二つの挟持部材３５、３５の間に対するケース４の下部分の装着状態は、上記ケースの接栓座取付面の上部側が垂直面に対して外部に張り出す傾斜状態で装着し、複数接栓座10に対して夫々装着する同軸ケーブルの延出部が上記ケース４を載置する面に近くで当接し、複数接栓座10と載置面との間の同軸ケーブルが短くなるようにしたものであればよい。
【発明の効果】
【００１１】
以上のように本発明は、ケース４内に、電源回路１６と、高周波装置における高周波回路収納用シールドケース９とを収め、高周波回路収納用シールドケース９における複数の接栓座１０に夫々接続される同軸ケーブル１２を介して高周波信号を上記シールドケース内の高周波回路８ａに入出力させると共に、電源回路１６から高周波回路８ａにブースター重畳用電力を送るようにしているので、入力されたブースターからの高周波信号をテレビ等の受信機へ向けて出力でき、かつ、ブースターへ電力を供給することができる。
【００１２】
さらに本発明においては、ケース４を載置面に対して縦置きにして使用する場合、ケース４内におけるシールドケース９は、金属材料を用いて比較的重量が重くなる状態に製造してあり、しかもその重量のある金属材料製のケースの配置位置は、ケース４の下半部で、重心位置が下方に設定してあり、その上、ケースの下半部における側部材の一部を、垂直面に対して上部材の側が外部に張り出す状態に傾斜させ、そこの傾斜面を重量のあるシールドケースの添付面とし、上記添付面にシールドケース９を添付けた状態では、シールドケース９における複数接栓座10のケースからの突設部の軸心方向が斜め下向きとなり、複数接栓座10に対して夫々装着する同軸ケーブルの延出部が上記ケース４を載置する面に当接し、複数接栓座10と載置面との間に「同軸ケーブルによる支柱」が設置された状態にしてあるので、ケースは安定した樹立状態を維持することのできる使用上の効果がある。
さらに、上記の場合、接栓座１０に接続される同軸ケーブル１２は斜め下向きになる特長がある。
このことは接栓座１０と載置面２との間に位置する同軸ケーブル１２の延出部12aの長さは、極めて短い区間となり、接栓座１０に接続される同軸ケーブル１２に加わるの下方向に向けての力はきわめて僅少になり、接栓座１０と同軸ケーブル１２との接続部に加わる折り曲げ力（ストレス）は僅少となり、経年使用による電気的接続部の故障は少なく安全に使用できる効果がある。
【００１３】
さらに本発明において、台座３３における基板３４の長さＬ２をブースター電源装置１における投影面積の奥行寸法Ｌ１以下の長さに構成した場合には、ブースター電源装置１と台座３３とを一緒に包装するとき、包装ケースを小嵩にしてコンパクトにすることができるという流通過程における効果がある。
【００１４】
さらに本発明において、上記のように台座３３における基板３４の長さＬ２をブースター電源装置の奥行以下の長さＬ２に構成したものであっても、挟持部材３５の配置位置が基板３４の一方に偏在しているので、ブースター電源装置１を台座３３に取り付けて樹立させる場合には、例えば図５のように、一端部34ａの側に偏在している挟持部材35をケース４の中央部４ｈに装着させても、他端部34ｂの側はケース４の「接栓座取付面側」よりも大きく張り出し、ケース４をより一層安定支持する使用上の効果がある。
【発明を実施するための最良の形態】
【００１５】
以下本発明の実施の形態を図１乃至図７を用いて説明する。図１乃至図７において、１は広く知られているように入力される高周波信号を出力すると共に、ブースター重畳用電力を供給する為に用いられるブースター電源装置を示す。２はブースター電源装置１の載置面（例えばテレビラック、棚、ローボードの上面）を示す。
４はブースター電源装置１のケースを示し、上部材４ａ、底部材４ｂ、側部材４ｃから構成されている。
具体的には、図示のケース４は、図２、図３から理解できるように周知のように合成樹脂材料でもって皿状に形成されたケース部材６ａ、６ｂの２部材を図３のように組み合わせ（合着させ）て形成してある。
５はケース４における内部空間（電子機器収納部）を示し、後述の電源回路１６と、高周波装置８における高周波回路収納用シールドケース９とを収めるようにしてある。
【００１６】
１２は同軸ケーブル、１１は同軸ケーブル１２の先端に取付けて用いられる周知の接栓（プラグともいう）、１３は電源から電力（ＡＣ１００Ｖ）を取り込むための電源コードを示す。
【００１７】
次に、８はケース４の空間５内に収納される周知の高周波装置を示す。９は高周波装置８における高周波回路収納用シールドケースを示し、周知のシールド材、例えば亜鉛やアルミニウムなどでダイカスト手段を用いて形成されている。なお、板状金属材を用いて形成したものであってもよい。シールドケース９は、周知のように対向板９ａと背面板９ｂと周面板９ｃとで内部に高周波回路を収納する空間を形成するように構成されている。
１０は周知の接栓座（レセプタクルともいう）を示し、シールドケース９の対向板９ａに一体的に形成されている。
シールドケース９内の符号８ａ位置に収納される高周波回路について図２（Ｂ）を用いて説明する。10ａはブースターからの高周波信号の入力端子、１０ｂはＴＶ等の次段機器に向けての高周波信号の出力端子を示す。４０は直流電流阻止、高周波信号通過用のコンデンサ、４１は避雷用コイルを示す。入力端子10ａから入力される高周波信号はコンデンサ４０を通過して出力端子10ｂに至る。
４３は後述の電源回路１６から供給される直流電力（DC15V）の受入端子を示す。４４は高周波阻止用コイル、４５はバイパスコンデンサを示す。受入端子43から供給された直流電力は、電力出力端子として利用される高周波信号入力端子10ａに重畳され、同軸ケーブル１２を介してブースター（図示省略）に向けて供給される。
【００１８】
次に、図２の符号１６は、外部から入力されたAC100VをDC15Vに変換して出力する為の周知の電源回路の存在を示す。電源回路１６において、１７は基板、１８はトランスとしてのスイッチングトランスの存在を示す。
１９は電源一次回路（AC100V側）、２０は電源二次回路（DC15V側）の存在を示す。電源一次回路１９は、周知の避雷回路・ノイズフィルタを備えている。
【００１９】
次に、ケース４内におけるシールドケース装着部２３について説明する。
シールドケース装着部２３は、ケース４の略下半部４ｆにおける側部材４ｃの一部を、垂直面に対して上部材４ａの側が外部に張り出す状態（傾斜角θ）に傾斜させ、そこの傾斜面をシールドケース９の添付面23ａとしている。
添付面23ａにおいて、２４は接栓座用透孔を示し、高周波回路収納用シールドケース９からはケース４の側部材４cを貫通させて複数の接栓座１０を外部に向けて突設するようにしてある。２５は電源コード１３が側部材４cを貫通状態でケース内の電源回路に接続する為の電源コード用透孔を示す。
添付面23ａにシールドケース９を添付けた状態（図１、図２（Ａ）参照）では、重量のあるダイカスト製のケース９の配置位置が、ケース４の下半部４ｆに略収まるように位置し、ブースター電源装置１の重心位置を、ケースの下半部４ｆ（矢印２８方向）に位置するようにしてある。
さらに、添付面23ａにシールドケース９を添付けた状態（図１、図２（Ａ）参照）では、シールドケース９における複数接栓座10、10のケース４からの突設部の軸心29ｂ方向が斜め下向き（矢印29ａ方向）となる。複数接栓座１０、１０に対して夫々装着する同軸ケーブル１２、１２の延出部分12ａが載置面２に当接し、複数接栓座１０と載置面２との間に同軸ケーブル１２が定置されるようにしてある。
【００２０】
上記構成のブースター電源装置を設置する作業及び設置状態について説明する。
まず、ブースター電源装置１と、先端に夫々接栓１１、１１を備える同軸ケーブル２本を用意する。
次に、ブースター電源装置１を載置面２に置き、２本の同軸ケーブル１２、１２を、夫々ケース４の側部材４ｃから突出している接栓座１０、１０に接続する（図１参照）。
この設置完了状態では、ブースター電源装置１の重心位置がケースの下半部４ｆの矢印２８方向に位置している。さらに、ブースター電源装置１に接続された複数の同軸ケーブル１２の延出部分12ａは、夫々載置面２に当接し、その部分を支点３０として矢印２９方向にケース４を支える。同軸ケーブル１２が支柱（つっかい棒）としての機能を果たすことになる。同軸ケーブル１２により支えられることにより、ブースター電源装置１は前傾することなく載置面２に安定して立った状態を維持できる。
【００２１】
次に、ブースター電源装置を載置面に対してケースを横置きにして使用する例（図４参照）について説明する。図４は、収納家具３（以下「ローボード」ともいう）の中に収納されたＡＶ機器７の上面を載置面２としてケース４を横置きにして使用する例を示すものである。
３はローボード、３ａはローボード３の裏板、３ｃはローボード３内の収納空間を示す。３ｂは収納空間に設置された機器類のケーブルを外部に貫通させる為の透孔の存在を示し、裏板３ａにおける幅方向に偏在して形成されている。
次に、ブースター電源装置の設置作業及び設置状態について説明する。
上述したケースを縦置きにして使用する場合と同様に、ブースター電源装置、同軸ケーブル等を用意する。
次に、２本の同軸ケーブル１２、１２をローボードの外側から裏板３ａの透孔３ｂを挿通させて、ローボードの収納空間３ｃに通す。ブースター電源装置１を載置面２（ＡＶ機器の上）に仮置きし、上記２本の同軸ケーブル１２、１２を、夫々ケース４の側部材４ｃから突出している接栓座１０、１０に接続する。
そして、ブースター電源装置１の電源コード１３をローボードの裏板３ａの透孔３ｂを挿通させて、ローボードの外側へ延出させる。
最後にブースター電源装置１を載置面２の予定位置に置き、同軸ケーブル等の整理して設置作業が完了する（図４参照）。
この設置完了状態では、接栓座１０に接続された同軸ケーブル１２の延出方向は、ローボードの裏板３ａに形成された透孔３ｂの方向になる（図４（Ｂ）参照）。よって、接栓座１０に接続される同軸ケーブル１２は、ローボード裏板３ａにおける透孔３ｂに向けて、無理に曲げられることなく緩やかなカーブを描いて、ローボード３の外部へ延びることになる。接栓座１０と同軸ケーブル１２との接続部に加わる折り曲げ力（ストレス）は僅少となり、経年使用による電気的接続部の故障は少なく安全に使用できる特長がある。
【００２２】
次に、図１〜図４のブースター電源装置とは台座を使用して載置する点において異なる例を示す図５について説明する。 
なお、図５において前述の図１〜図４のものと機能、性質又は特徴等が同一又は均等構成と考えられる部分には、前述の図１〜図４と同一の符号を付して重複する説明を省略する。（また次図以降のものにおいても順次同様の考えで、前述の図１〜図４、図５と同一の符号を付して重複する説明を省略する。）
３３は、ブースター電源装置１を樹立させる場合に用いられる合成樹脂製の台座を示す。
台座３３において、３４はケース４の底部材４ｂに対向させる上面34ｃを有する基板を示す。基板３４の長さＬ２は、ブースター電源装置１における投影面積の奥行寸法Ｌ１以下の長さに構成してある。３５はケース４における接栓座取付面４ｇに隣接する両側部材４ｃの表面を両側から支持する挟持部を示す。挟持部３５、３５の配置位置は、基板の一端部34ａの側に偏在して立設されている。二つの挟持部３５、３５相互間の巾寸法Ｗは、ブースター電源装置１が着脱自在に装着でき、かつ、装着した状態では、ブースター電源装置１の樹立状態を維持できるように両側から弾力的に圧接を可能な材料でもって対応寸法にしてある。なお、ケース４の両側における対応面に弾力性がある場合は、挟持部３５、３５に対して特別に弾力性を持たせても、持たせなくてもよい。
次に、ブースター電源装置１を台座３３に取り付けて樹立させる場合は、まず、台座３３を載置面２に置く。そしてブースター電源装置１のケース４を挟持部材３５、３５の間に差し込むように基板３４上に載せる。その場合、ケースの中央部４ｈが挟持部材35の位置にくるように（図５参照）するとよい。
この装着状態では、基板３４の一端部34ａの側に偏在している挟持部材35の位置にケース４の中央部４ｈが位置し、他端部34ｂの側はケース４の「接栓座取付面４ｇ側」よりも大きく張り出し、ケース４をより一層安定して支持することになる。
【００２３】
次に、図１〜図５のブースター電源装置とはシールドケース装着部に係る構成の点において異なる例を示す図６について説明する。
ケース４内のシールドケース装着部２３は、ケース４の下半部４ｆにおける側部材４ｃの一部を、垂直面に対して上部材の側が外部に張り出す状態に傾斜させ、そこの傾斜面をシールドケース９の第１添付面23ａとしている。添付面23ａは、夫々垂直面に対する傾斜角の異なる第１添付面23ｄと第２添付面23ｅを備えている。第１添付面23ｄの上方に位置する第２添付面23ｅは、第１添付面23ｄの傾斜角θ１よりも、さらに垂直面に対して上部材４ａの側が外部に張り出す状態（傾斜角θ２）になるように傾斜させてある。
９は高周波回路収納用のシールドケースを示す。シールドケース９において、９ｄ、９ｅは夫々第１対向板、第２対向板を示す。第１対向板９ｄ、第２対向板、９ｅは、夫々、ケース４の添付面23ａにシールドケース９を添付けた状態（図参照）で、第１添付面23ｄと第２添付面23ｅに対応するように構成されている。
このように、シールドケース装着部２３及びシールドケースにおける対向板９ｄ、９ｅを構成する場合には、第２添付面23ｅから突出する接栓座１０（図における上側の接栓座１０、以下「上側の接栓座」ともいう）に接続される同軸ケーブル１２は、他方の接栓座１０（以下「下側の接栓座」ともいう）に接続される同軸ケーブル１２に比較して、より斜め下向きになる。その結果、上側の接栓座１０と載置面２との間に位置する同軸ケーブル１２の延出部分12ａの長さＬ３は、下側の接栓座１０と載置面２との間に位置する同軸ケーブル１２の延出部12ａの長さＬ４とほぼ同程度の長さになる特長がある。
このことは、二つの接栓座１０と載置面２との間に位置する同軸ケーブル１２の延出部12aの長さＬ３、Ｌ４共に、極めて短い区間となり、二つの接栓座１０と同軸ケーブル１２との接続部に加わる折り曲げ力（ストレス）は僅少となり、経年使用による電気的接続部の故障が少なく安全に使用できる特長がある。
【００２４】
次に、図５のブースター電源装置とは、ケース４の外形、台座に対するブースター電源装置の装着状態に係る点において異なる例を示す図７について説明する。  図７の台座３３は上記図５に示される台座３３と機能、性質等が同一のものを示す。上記ケース４としては、図示のケース４であっても良いが、上記ケース４とは異なる外形、例えば、ケース４の接栓座取付面４ｇが図７に示されるように平坦な面であっても良い。この場合、同軸ケーブル１２はケース４の接栓座取付面に対して直交方向に延びることになる。
図７における上記台座３３の二つの挟持部材３５、３５の間に対するケース４の下部分の装着状態は、上記ケース４における接栓座取付面４ｇの下部を図示のように上記台座３３の二つの挟持部材３５、３５の間に弾力的に挿入し、上記ケースの接栓座取付面４ｇの上部側が垂直面に対して外部に張り出す傾斜状態になるように装着している。
このような装着状態においては、同軸ケーブル１２が図７に示されるケース４の接栓座取付面４ｇに対して直交方向に延びる状態にあっても、複数接栓座10に対して夫々装着する同軸ケーブルの延出部12ａは上記ケース４を載置する面２に対して極めて近くで当接し、複数接栓座10と載置面２との間の同軸ケーブル１２が短くなり、接栓座１０に対する同軸ケーブル１２の重力負担は小さくなる特長が生じる。
【図面の簡単な説明】
【００２５】
【図１】ブースター電源装置と載置面と同軸ケーブルの関係を説明するための概略図（同軸ケーブルと電源コードの一部は省略する）。
【図２】（Ａ）はブースター電源装置におけるケースと高周波装置と電源回路の関係を説明する為の一部断面図（ケース部材６ａを取外し、シールドケース９を破断して示す）、（Ｂ）はシールドケース内に収納される高周波回路を説明する為の回路図。
【図３】ケース４における接栓座取付面を説明する為の図。
【図４】ブースター電源装置を載置面に対してケースを横置きにして使用する例を説明する為の図で、（Ａ）はローボードの収納空間に設置された状態を示す図、（Ｂ）は（Ａ）におけるＢ−Ｂ線位置の概略断面図（ローボード、ＡＶ機器、同軸ケーブルの一部を省略）
【図５】図１〜図４のブースター電源装置とは台座を使用して載置する点において異なる例を説明する為の図。
【図６】図１〜図５のブースター電源装置とはシールドケース装着部に係る構成の点において異なる例を説明する為の図。
【図７】図５のブースター電源装置とは、ケース４の外形、台座に係る構成の点において異なる例を説明する為の図。
【符号の説明】
【００２６】
１・・・ブースター電源装置、２・・・載置面、４・・・ケース、４a・・・上部材、４b・・・底部材、４c・・・側部材、4e・・・上半分、4f・・・下半部、５・・・空間（電子機器収納部）、８・・・高周波装置、９・・・高周波回路収納用シールドケース、９ａ・・・対向、９ｂ・・・背面板、９ｃ・・・周面板、１０・・・接栓座（レセプタクル）、１１・・・接栓（プラグ）、１２・・・同軸ケーブル、１３・・・電源コード、１６・・・電源回路、１７・・・基板、１８・・・トランス、１９・・・一次回路（避雷回路・ノイズフィルタ）、２０・・・二次回路、 ２３・・・シールドケース装着部、θ・・・垂直線に対する傾斜角、２４・・・接栓座用透孔、２５・・・電源コード用透孔、矢印２８・・・重心存在方向、矢印２９・・支え方向、29ａ・・・突出方向、29ｂ・・・軸心、３０・・・支点、３３・・・台座、３４・・・基板、３５・・・挟持部
【図１】
2008028558.tif 000003
【図２】
2008028558.tif 000004
【図３】
2008028558.tif 000005
【図４】
2008028558.tif 000006
【図５】
2008028558.tif 000007
【図６】
2008028558.tif 000008
【図７】
2008028558.tif 000009